(57)【要約】【課題】内槽の外周面と外槽の内周面をきれいに清掃できる清掃手段を備えた洗濯機を提供することを目的とする。【解決手段】内槽４と外槽３の間に清掃手段１０を設ける。清掃手段１０は、フレーム１４，１５に取り付けられて内槽４と外槽３の間に位置する清掃体１９と、この間の水流の流圧を受ける受圧体１６を有する。内槽４が正逆回転すると、フレーム１４，１５は軸部１７，１８を中心に首振りし、清掃体１９は内槽４の外周面と外槽３の内周面に選択的に摺接して内槽４及び外槽３の円周方向に回動し、内槽４の外周面と外槽３の内周面を清掃する。【選択図】図５
2005342396.tif 000002
【特許請求の範囲】
【請求項１】
動力部に駆動されて正逆回転する通水性の円筒形の内槽と、この内槽が収納される円筒形の外槽と、内槽の外周面と外槽の内周面とを清掃する清掃手段とを備え、
前記清掃手段が、前記内槽と前記外槽の間の隙間に位置する清掃体と、この清掃体に一体的に設けられて前記内槽の正逆回転にともなう前記隙間の水流の流圧を受ける受圧体とから成り、水流の正流・逆流による流圧を前記受圧体が受けることにより前記清掃体が軸部を中心に首振りして前記内槽の外周面と前記外槽の内周面に当接し、前記隙間を回動しながらこれらの２つの面を清掃することを特徴とする洗濯機。
【発明の詳細な説明】
【技術分野】
【０００１】
本発明は、内槽と外槽の清掃手段を備えた洗濯機に関するものである。
【背景技術】
【０００２】
洗濯機は、モータなどの動力部に駆動されて正逆回転する通水性の円筒形の内槽と、この内槽が収納される円筒形の外槽とを備えており、内槽に衣類等を投入して洗濯するようになっている。
【発明の開示】
【発明が解決しようとする課題】
【０００３】
衣類から洗い出されたアカを含む汚水は、内槽と外槽の間のせまい隙間に流出する。このため、洗濯機を長年使用する間に、内槽の外周面と外槽の内周面にはアカが付着し、この両面の汚れはひどくなる。
【０００４】
そこで本発明は、内槽の外周面と外槽の内周面をきれいに清掃できる清掃手段を備えた洗濯機を提供することを目的とする。
【課題を解決するための手段】
【０００５】
本発明の洗濯機は、動力部に駆動されて正逆回転する通水性の円筒形の内槽と、この内槽が収納される円筒形の外槽と、内槽の外周面と外槽の内周面とを清掃する清掃手段とを備え、前記清掃手段が、前記内槽と前記外槽の間の隙間に位置する清掃体と、この清掃体に一体的に設けられて前記内槽の正逆回転にともなう前記隙間の水流の流圧を受ける受圧体とから成り、水流の正流・逆流による流圧を前記受圧体が受けることにより前記清掃体が軸部を中心に首振りして前記内槽の外周面と前記外槽の内周面に当接し、前記隙間を回動しながらこれらの２つの面を清掃する。
【発明の効果】
【０００６】
本発明によれば、内槽が正逆回転すると、これにともない内槽と外槽の間の隙間に生じる水流の正逆の流れにより清掃体は軸部を中心に首振りし、これにより清掃体は内槽の外周面と外槽の内周面に当接して回動しながら、これらの２つの面を清掃するので、両面をきれいに保つことができる。
【発明を実施するための最良の形態】
【０００７】
（実施の形態１）
図１は本発明の実施の形態１における洗濯機の断面図、図２は同洗濯機の内部平面図、図３は同清掃子の斜視図、図４は同清掃手段の正面図、図５は同清掃子の動きを示す平面図である。
【０００８】
図１および図２において、洗濯機１の本体ケース２の内部には外槽３と内槽４が収納されている。外槽３と内槽４は円筒形である。内槽４は、多孔板などの通水性を有する板体から成り、外槽３の内部に収納されている。５は本体ケース２に開閉自在に被蓋されるカバー体であり、６は内槽４を正逆回転させる動力部としてのモータである。内槽４への注水手段やこれからの排水手段などの公知手段は省略している。
【０００９】
図１において、内槽４と外槽３の間の隙間には清掃手段１０が配設されている。以下、清掃手段１０を説明する。図１および図２において、内槽４と外槽３の間の上部と下部には、ガイド手段としての円環状のガイドレール１１，１２が配設されている。図３において、清掃子１３は、上部フレーム１４、下部フレーム１５、両フレーム１４，１５の間に両フレーム１４，１５と一体的に設けられたタテ長の長板状の受圧体１６、両フレーム１４，１５を軸支する軸棒１７、軸棒１７の上下両端部を両フレーム１４，１５に取着する止体１８、両フレーム１４，１５に取着された垂直なタテ長の清掃体としてのブラシ体１９から成っている。ブラシ体１９は、内槽４と外槽３の間のせまい隙間に位置する。軸棒１７と止体１８は軸部となるものであり、フレーム１４，１５は軸部１７，１８に回転自在（首振り自在）に軸支されている。また図４に示すように、止体１８はガイドレール１１，１２に摺動自在に嵌合し、ガイドレール１１，１２に沿って内槽４と外槽３の円周方向にスライドして回動できるようになっている。
【００１０】
この洗濯機は上記のような構成より成り、次に動作を説明する。図５は、洗濯中に、内槽４が正逆回転している様子を示している。内槽４の正逆回転にともない、内槽４と外槽３の間の水流も相対的に正逆方向に切りかわる（矢印Ａ、Ｂ）。
【００１１】
図５において、中央（イ）の清掃子１３はニュートラルの状態（水流がない状態）を示している。この状態で清掃体１９は内槽４の外周面および外槽３の内周面のいずれにも当接していない。
【００１２】
図５において、左側（ロ）の清掃子１３は、内槽４の正転により反時計方向の水流Ａが生じている場合を示している。この場合、水流Ａは受圧体１６の外面を押し、この流圧によりフレーム１４，１５及びブラシ体１９は軸部１７，１８を中心に外側ａへ首振り回転し、ブラシ体１９は外槽３の内周面に当接する。そして、水流Ａの流圧により清掃体１９は外槽３の内周面に当接した状態で、ガイドレール１１，１２に沿って反時計方向Ａへ回動しながらこの内周面に摺接してこれを清掃する。
【００１３】
図５において、右側（ハ）の清掃子１３は、内槽４の逆転により時計方向の水流Ｂが生じている場合を示している。この場合、水流Ｂは受圧体１６の内面を押し、この流圧によりフレーム１４，１５及びブラシ体１９は軸部１７，１８を中心に内側ｂへ首振り回転し、ブラシ体１９は内槽４の外周面に当接する。そして、水流Ｂの流圧により清掃体１９は内槽４の外周面に当接した状態で、ガイドレール１１，１２に沿って時計方向Ｂへ回動しながらこの外周面に摺接してこれを清掃する。
【００１４】
以上のように、内槽４と外槽３の間に上記のような清掃手段１０を設けることにより、受圧体１６が受ける水流の流圧によりブラシ体１９を保持するフレーム１４，１５を軸部１７，１８を中心に首振りさせて清掃子１３を内槽４と外槽３の間のせまい隙間を回動させながら、内槽４の外周面と外槽３の内周面に選択的に摺接させて、この２つの面をきれいに清掃することができる。
【００１５】
（実施の形態２）
図６は本発明の実施の形態２における洗濯機の断面図、図７は内槽及び外槽と清掃手段の分離状態の斜視図、図８は同清掃子の動きを示す平面図である。実施の形態１と同一要素には同一符号を付し、説明は省略する。
【００１６】
この洗濯機１’は、実施の形態１の洗濯機１と清掃手段１０’の構造が相違している。図７は、外槽３と内槽４から分離した清掃手段１０’を示している。図７において、清掃手段１０’は、円環状の上部フレーム２０と下部フレーム２１を有し、両フレーム２０，２１は縦フレーム２２で結合されている。下フレーム２１には十字形の受板２３が設けられており、受板２３の中央孔２４にモータ６の回転軸が遊挿されている（図６も参照）。
【００１７】
清掃子１３は実施の形態１の清掃子１３と同構造であって、軸棒１７の上端及び下端の止体１８は上部フレーム２０と下部フレーム２１に遊着されている。清掃手段１０’は内槽４と外槽３の間に装入される。清掃子１３の動作は図５を参照して説明した実施の形態１と同様であって、図８に示すように、内槽４がモータ６により正逆回転すると、反時計方向の水流Ａ及び時計方向の水流Ｂが発生する。そしてこの水流により受圧体１６が流圧を受け、これによりブラシ体１９が軸部１７，１８を中心に外側ａあるいは内側ｂへ回転して内槽４の外周面と外槽３の内周面に選択的に当接する。そしてこの流圧により上部フレーム２０と下部フレーム２１を含む清掃手段１０’は反時計方向Ａあるいは時計方向Ｂへ内槽３と外槽４の間を正逆回転する。これにより、ブラシ体１９は内槽４の外周面と外槽３の内周面に当接して正逆方向へ摺動し、この２つの面を清掃する。
【産業上の利用可能性】
【００１８】
本発明によれば、内槽が正逆回転すると、これにともない内槽と外槽の間に生じる水流の正逆の流れにより清掃体は軸部を中心に首振り回転し、これにより清掃体が外周面と内周面に摺接して回動しながら、これらの２つの面を清掃するので、両面をきれいに保つことができる。
【図面の簡単な説明】
【００１９】
【図１】実施の形態１における洗濯機の断面図
【図２】実施の形態１における洗濯機の内部平面図
【図３】実施の形態１における清掃子の斜視図
【図４】実施の形態１における清掃手段の正面図
【図５】実施の形態１における清掃子の動きを示す平面図
【図６】実施の形態２における洗濯機の断面図
【図７】実施の形態２における内槽及び外槽と清掃手段の分離状態の斜視図
【図８】実施の形態２における清掃子の動きを示す平面図
【符号の説明】
【００２０】
１、１’  洗濯機
３  外槽
４  内槽
１０、１０’  清掃手段
１１，１２  ガイドレール
１３  清掃子
１４，１５  フレーム
１６  受圧体
１７，１８  軸部
１９  ブラシ体（清掃体）
２０  上部フレーム
２１  下部フレーム
【図１】
2005342396.tif 000003
【図２】
2005342396.tif 000004
【図３】
2005342396.tif 000005
【図４】
2005342396.tif 000006
【図５】
2005342396.tif 000007
【図６】
2005342396.tif 000008
【図７】
2005342396.tif 000009
【図８】
2005342396.tif 000010